(57)【要約】【課題】防昆虫対策を図る一方、アンカーボルトへの固定を可能にした基礎パッキン装置を提供する。【解決手段】  本発明の基礎パッキン装置は、基礎コンクリート（Ｂｃ）と木造建物の木質土台（Ｗｄ）との間に介装された長尺な矩形のパッキン本体（１２）と、このパッキン本体（１２）の側壁（１６）のそれぞれに形成され、パッキン本体（１２）内を通じて木造建物の床下を外気に連通させる多数の換気口（２２）とを備え、これら換気口（２２）は防昆虫仕様のサイズの開口幅（Ｗｖ）を有する。【選択図】図３
2014196609.tif 000002
【特許請求の範囲】
【請求項１】
基礎コンクリートと建物の土台との間に介装され、前記建物の床下換気を可能にする基礎パッキン装置であって、
長手軸線を有し、上壁及びこの上壁の外周に沿って延びる周壁を有した矩形のパッキン本体と、
前記周壁のうちで前記パッキン本体の前記長手軸線に沿う側壁のそれぞれに形成され、前記パッキン本体内を通じて前記建物の床下を外気に連通させる一方、前記長手軸線の方向に沿い所定の間隔を存して並ぶ多数の換気口と
を具備し、
前記側壁の外側面にて、前記換気口は前記長手軸線に沿う開口幅を防昆虫仕様のサイズとして開口していることを特徴とする基礎パッキン装置。
【請求項２】
前記開口幅は５ｍｍ以下であることを特徴とする請求項１に記載の基礎パッキン装置。
【請求項３】
前記パッキン本体の前記上壁に前記長手軸線に沿い間隔を存してそれぞれ形成され、前記基礎コンクリートから突出したアンカーボルトの遊挿を許容し且つ前記長手軸線に沿って延びる長尺なボルト遊挿口と、
前記ボルト遊挿口のうちの選択された少なくとも１つのボルト遊挿口内に前記ボルト遊挿口の長手方向に沿う任意の位置にて装着可能な円筒形状のアンカーアジャスタと
を更に具備し、
前記アンカーアジャスタは、偏心した位置に前記アンカーボルトの挿通を許容するボルト挿通孔を有することを特徴とする請求項１又は２に記載の基礎パッキン装置。
【請求項４】
前記アンカーアジャスタは内径が異なる２つのボルト挿通孔を有することを特徴とする請求項３に記載の基礎パッキン装置。
【請求項５】
前記パッキン本体の前記上壁に形成され、前記上壁から突出する一方、前記パッキン本体内に没入すべく弾性変形可能な弾性舌片を更に具備したことを特徴とする請求項１〜４の何れかに記載の基礎パッキン装置。
【請求項６】
パッキン本体同士を前記長手軸線に沿い又は前記長手軸線と直交する方向に結合可能にする結合手段を更に具備したことを特徴とする請求項１〜５の何れかに記載の基礎パッキン装置。
【発明の詳細な説明】
【技術分野】
【０００１】
本発明は、基礎コンクリートと土台との間に介装され、例えば木造の建物の床下換気を可能にする基礎パッキン装置に関する。
【背景技術】
【０００２】
この種の基礎パッキン装置は長尺な矩形のパッキン本体を含み、このパッキン本体はその両側面にて開口する多数の換気口を有する（例えば、特許文献１の図２参照）。これら換気口は基礎パッキンの長手方向に間隔を存して並び、パッキン本体内を通じて建物の床下を外気に連通させることで、床下換気を可能する。
【０００３】
このような基礎パッキン装置によれば、基礎コンクリート自体に換気口を設ける必要がないので、基礎コンクリートの強度を確保できるばかりでなく、基礎コンクリートに対する土台の直接的な接触が回避されることで、湿気に起因した土台の腐朽を防止することができる。
【先行技術文献】
【特許文献】
【０００４】
【特許文献１】特開2009-221813号公報
【発明の概要】
【発明が解決しようとする課題】
【０００５】
ところで、上述の基礎パッキン装置の場合、その本来の目的が床下換気にあることから、パッキン本体の換気口は比較的大きく確保されている。このため、換気口は家鼠等の小動物の床下侵入を阻止できるものの、更に小さな蜂等の昆虫についてはその床下侵入を阻止することができない。
【０００６】
また、パッキン本体には基礎コンクリートから突出したアンカーボルトの遊挿を許容するボルト遊挿口が形成されているが、このボルト遊挿口はアンカーボルトの径に比べて大きいため、アンカーボルトに対してパッキン本体をしっかりと固定することができない。
【０００７】
本発明の上述の事情に基づいてなされ、第１の目的はその本来の床下換気のみならず、防昆虫対策にも優れた基礎パッキン装置を提供することにあり、第２の目的はアンカーボルトへのパッキン本体の固定をも可能にした基礎パッキン装置を提供することにある。
【課題を解決するための手段】
【０００８】
上述の第１の目的は本発明の基礎パッキン装置によって達成され、この基礎パッキン装置は、長手軸線を有し、上壁及びこの上壁の外周に沿って延びる周壁を有した矩形のパッキン本体と、このパッキン本体の周壁のうちでパッキン本体の長手軸線に沿う側壁のそれぞれに形成され、パッキン本体内を通じて建物の床下を外気に連通させる一方、長手軸線の方向に沿い所定の間隔を存して並ぶ多数の換気口とを具備し、側壁の外側面にて、換気口は長手軸線に沿う開口幅を防昆虫仕様のサイズとして開口し（請求項１）、具体的には、開口幅は５ｍｍ以下である（請求項２）。
【０００９】
このような本発明の基礎パッキン装置によれば、パッキン本体における換気口の開口幅が防昆虫仕様のサイズ、即ち、５ｍｍ以下であるから、換気口からパッキン本体内を通じて蜂等の昆虫が建物の床下に侵入することはない。
【００１０】
上述の第２の目的は、パッキン本体の上壁に長手軸線に沿い間隔を存してそれぞれ形成され、基礎コンクリートから突出したアンカーボルトの遊挿を許容し且つ長手軸線に沿って延びる長尺なボルト遊挿口と、これらボルト遊挿口のうちの選択された少なくとも１つのボルト遊挿口内にこのボルト遊挿口の長手方向に沿う任意の位置にて装着可能であって、偏心した位置にアンカーボルトの挿通を許容するボルト挿通孔を有する円筒形状のアンカーアジャスタとを更に具備した基礎パッキン装置（請求項３）によって達成される。
【００１１】
請求項３の基礎パッキン装置によれば、アンカーアジャスタのボルト挿通孔にアンカーボルトを挿通させ、この後、アンカーアジャスタをパッキン本体のボルト遊挿口に装着するだけで、アンカーボルトにパッキン本体が結合、つまり、固定される。
【００１２】
具体的には、アンカーアジャスタは内径が異なる２つのボルト挿通孔を有することができる（請求項４）。この場合、径が異なるアンカーボルトに対しても、本発明の基礎パッキン装置の適用が可能となる。
更に、本発明のパッキン本体は弾性舌片を更に備えることができ、この弾性舌片はパッキン本体の上壁に形成され、この上壁から突出する一方、パッキン本体内に没入すべく弾性変形可能となっている（請求項５）。
【００１３】
パッキン本体が基礎コンクリートと土台との間に介装されたとき、弾性舌片は弾性変形し、パッキン本体内に没入される。例えば土台が木質であり、土台が木痩せしたとしても、この木痩せに追従して弾性舌片がパッキン本体の上壁から弾性復元力によって突出する。それ故、土台の木痩せに拘らず、土台とパッキン本体との摩擦係合が弾性舌片によって維持される。
更にまた、本発明の基礎パッキン装置は、パッキン本体同士を長手軸線に沿い又は長手軸線と直交する方向に結合可能にする結合手段を更に備えることもでき（請求項６）、このような結合手段は、基礎コンクリートのレイアウトに応じてパッキン本体の敷設を可能にする。
本発明の更なる目的や利点は、添付図面及び後述の説明から明らかになる。
【発明の効果】
【００１４】
請求項１〜６に係る本願発明の基礎パッキン装置によれば、パッキン本体の換気口が防昆虫仕様の開口幅を有しているので、建物の床下に蜂等の昆虫が侵入するのを防止でき、また、アンカーボルトに対し、アンカーアジャスタを介してアンカーボルトの結合が可能となる。
【図面の簡単な説明】
【００１５】
【図１】本発明に係る基礎パッキン装置の適用例を示した概略斜視図である。
【図２】一実施形態におけるパッキン本体の一部の平面図である。
【図３】図２中、III方向からみたパッキン本体の側面図である。
【図４】パッキン本体の端面図を示し、（ａ）は図２中、IVa方向からみた図、（ｂ）は図２中、IVb方向からみた図である。
【図５】図２中、V-V線に沿う断面図である。
【図６】図２中、VI-VI線に沿う断面図である。
【図７】図２のパッキン本体の一部をその底側からみた斜視図である。
【図８】図２のパッキン本体の一部をその側方からみた斜視図である。
【図９】図２のパッキン本体にアンカーアジャスタが組み付けられた状態の基礎パッキン装置の一部を示す平面図である。
【図１０】図１２中のX方向からみたアンカーアジャスタの側面図である。
【図１１】図１２中のXI方向からみたアンカーアジャスタの側面図である。
【図１２】アンカーアジャスタの平面図である。
【図１３】アンカーアジャスタの一部を示す斜視図である。
【図１４】変形例のパッキン本体の一部を示した平面図である。
【図１５】図１４のシールプレートにおけるプレート本体の平面図である。
【図１６】図１５のプレート本体の側面図である。
【図１７】図１４のシールプレートの端面図である。
【図１８】施工補助具の端面図である。
【図１９】図１８の施工補助具の平面図である。
【図２０】図１８の施工補助具の底面図である。
【図２１】変形例の施工補助具の端面図である。
【発明を実施するための形態】
【００１６】
図１を参照すると、本発明に係る基礎パッキン装置１０の適用例が示されており、この基礎パッキン装置１０は基礎コンクリートＢｃと、例えば木造建物の木質土台Ｗｄとの間に介装されている。基礎コンクリートＢｃからは上方に向けてアンカーボルトＢａが突出され、このアンカーボルトＢａは基礎パッキン装置１０及び木質土台Ｗｄを貫通し、木質土台Ｗｄの上面にて座金Ｚ及びナットＮを介して木質土台Ｗｄに締結されている。
【００１７】
図１には基礎パッキン装置１０が２個示され、これら基礎パッキン装置１０は木質土台Ｗｄの長手方向に隣接して並び、互いに結合されている。なお、基礎パッキン装置１０は図示の縦列結合のみならず、Ｔ字結合をも可能であり、これら縦列結合及びＴ字結合については後述の説明から明らかとなる。
【００１８】
基礎パッキン装置１０は主要部として、基礎コンクリートＢｃと木質土台Ｗｄとの間に挟み込まれるパッキン本体１２を含み、図２は一実施形態におけるパッキン本体１２の一部の平面図を示す。
【００１９】
パッキン本体１２は例えばポリプロピレン等の合成樹脂から一体成形され、長手軸線Ａを有した長尺な矩形をなす。本実施形態の場合、パッキン本体１２は９００ｍｍの長さ、１００ｍｍの幅を有する。なお、図２中、破断線から左側の部位はパッキン本体１２の上面１２Uを示し、一方、破断線から右側の部位はパッキン本体１２の下面１２Lを示している。
【００２０】
具体的には、パッキン本体１２は、上面１２Uを形成する上壁１４と、この上壁１４の外周から下方に突出し且つその外周に沿って延びる周壁を含み、この周壁は長手軸線Ａに沿って延びる一対の側壁１６と、長手軸線Ａと直交する一対の端壁１８ａ，１８ｂとを有する。これら上壁１４、側壁１６及び端壁１８ａ，１８ｂはパッキン本体１２内にキャビティ２０を規定し、このキャビティ２０はパッキン本体１２の下面１２Lにて開口する。なお、端壁１８ａ，１８ｂは側壁１６の幅よりも大きな幅を有する。
【００２１】
各側壁１６には多数の換気口２２が形成され、これら換気口２２は図３に示されるように長手軸線Ａに沿い所定のピッチＰを存して配置されている。具体的には、これら換気口２２は対応する側壁１６の内外の側面にて開口する一方、長手軸線Ａに沿いパッキン本体１２の上面１２U及び側壁１６の下面に交互に開口する。更に、上面１２Uにて開口する換気口２２は側壁１６の幅を越えて延びている（図２参照）。
【００２２】
更に、パッキン本体１２の上壁１４にはその両側縁部に多数の溝２４が形成されている。これら溝２４は長手軸線Ａに沿い所定の間隔を存して配置され、上壁１４の側縁にて開口し且つパッキン本体１２の幅方向に延びている。
上述した換気口２２は木造建物の床下をパッキン本体１２のキャビティ２０を通じて外気に連通させ、床下換気を実現する。
【００２３】
また、換気口２２は床下換気機能に加えて防昆虫機能をも発揮する。詳しくは、側壁１６の内外の側面にて開口する換気口２２の幅、つまり、長手軸線Ａに沿う換気口２２の開口幅ＷVは蜂等の侵入を阻止する防昆虫仕様のサイズに制限されている。具体的には、開口幅ＷVは防昆虫の観点からみて可能な限り狭い方が好ましいものの、換気口２２の成形性を考慮すれば、５ｍｍ以下が好ましい。本実施形態の場合、開口幅ＷVは３ｍｍに設定されている。
【００２４】
このように換気口２２の開口幅ＷVが狭ければ、蜂等の昆虫がパッキン本体１２の内部を通じて木造建物の床下に侵入することはなく、木造建物が蜂等の昆虫によって被害を受けることはない。
【００２５】
一方、パッキン本体１２の端壁１８ａには一対の結合爪２６ａが突設され、これら結合爪２６ａは図４（ａ）に示されるようにパッキン本体１２の幅方向に所定の距離Ｌだけ互いに離間している。また、端壁１８ａには一対の嵌合溝２８ｂもまた形成され、これら嵌合溝２８ｂもまたパッキン本体１２の幅方向に間隔Ｌだけ互いに離間している。これに対し、図４（ｂ）に示されるように、パッキン本体１２の端壁１８ｂには一対の結合爪２６ａに対応した一対の嵌合溝２６ｂや、一対の嵌合溝２８ｂに対応した一対の結合爪２８ａがそれぞれ形成されている。
【００２６】
それ故、図１に示された２個の基礎パッキン装置１０に関し、これら装置１０のパッキン本体１２同士は、一方のパッキン本体１２の端壁１８ａと他方のパッキン本体１２の端壁１８ｂとを突き合わせ、この際、端壁１８ａの一対の結合爪２６ａを端壁１８ｂの嵌合溝２６ｂに嵌合させると同時に、端壁１８ｂの一対の結合爪２８ａを端壁１８ａの嵌合溝２８ｂに嵌合させることで、一体的に縦列結合されている。
【００２７】
更に、パッキン本体１２の端壁１８ａ，１８ｂには長手軸線Ａを挟む両側に一対ずつ連通口３０ａ，３０ｂがそれぞれ形成されており、前述のようにパッキン本体１２同士が突き合わされたとき、一対の連通口３０ａが一対の連通口３０ｂにそれぞれ合致し、これにより、パッキン本体１２同士のキャビディ２０は連通口３０ａ，３０ｂを通じて互いに連通する。
【００２８】
このように隣接するパッキン本体１２同士のキャビティ２０が互いに連通すれば、換気経路の重複化を図ることができる。
更に、結合爪２６ａ，２８ａに関し、前述の間隔Ｌは換気口２２におけるピッチＰの整数倍に設定されている一方、結合爪２６ａ，２８ａは換気口２２に差し込み可能な大きさを有する。それ故、一方のパッキン本体１２の側壁１６に他方のパッキン本体１２の端壁１８ａ（又は１８ｂ）を突き合わせる際、側壁１６の換気口２２に結合爪２６ａ（又は２８ａ）を差し込むことで、パッキン本体１２同士を一体的にＴ字結合することができる。
【００２９】
このようなＴ字結合にあっても、端壁１８ａの連通口３０ａ（又は端壁１８ｂの連通口３０ｂ）は対応する換気口２２に合致する。それ故、Ｔ字結合されたパッキン本体１２のキャビティ２０同士もまた互いに連通し、換気経路の重複化を図ることができる。なお、図２に示されているようにパッキン本体１２の端壁１８ａ，１８ｂには連通口３０ａ，３０ｂ以外に、連通口３０ｃを更に２つ形成しておくこともでき、これら連通口３０ｃもまたＴ字結合の際に対応する換気口２２に合致する。
【００３０】
更に、上述した側壁１６の換気口２２や端壁１８ａ，１８ｂの連通口３０ａ，３０ｂ，３０ｃはパッキン本体１２に柔軟性や圧縮性を付与することから、基礎コンクリートＢｃの上面が平坦でなくとも、パッキン本体１２は基礎コンクリートＢｃの上面に追従した反り、捩じり、曲げ又は圧縮が許容され、基礎コンクリートＢｃ及び木質土台Ｗｄの双方に良好に密着できる。
【００３１】
一方、図２に示されるようにパッキン本体１２の上壁１４には多数のボルト遊挿口３２が形成され、これらボルト遊挿口３２はキャビティ２０に連通する一方、長手軸線Ａに沿い所定の間隔を存して配置されている。詳しくは、隣接するボルト遊挿口３２はパッキン本体１２の幅方向でみて、長手軸線Ａから互いに逆方向に位置ずれして配置されている。
【００３２】
ボルト遊挿口３２は長手軸線Ａに沿って延びる角丸長方形をなし、前述したアンカーボルトＢａをパッキン本体１２の長手方向（長手軸線Ａの方向）及び幅方向に十分な遊びを存してアンカーボルトＢａの挿通を許容するサイズを有する。図５に示されるように、ボルト遊挿口３２の開口縁は上方を向いた傾斜面、即ち、受座３４として形成されており、この受座３４に後述するアンカーアジャスタが着座可能である。
【００３３】
更に、隣接するボルト遊挿口３２間には一対の弾性舌片３６がパッキン本体１２の上壁１４から一体に突設されている。これら弾性舌片３６は長手軸線Ａから等距離を存し且つその先端がパッキン本体１２の幅方向外側を向くように配置されている。
【００３４】
詳しくは、弾性舌片３６は上壁１４にコ字形の貫通孔を形成して得られ、自由状態にあるとき、図６に示されるように上壁１４から上方に向けて突出する。弾性舌片３６の根元にはその内面に切込み溝が形成され、この切込み溝は弾性舌片３６の根元をセルフヒンジ３７に形成する。それ故、パッキン本体１２に木質土台Ｗｄが載せられたとき、図６中に２点鎖線で示されるように、弾性舌片３６はセルフヒンジ３７回りに回動するように弾性変形し、パッキン本体１２内、つまり、その上壁１４内に没入する。
しかしながら、木質土台Ｗｄに木痩せが生じると、弾性舌片３６は木痩せに追従してパッキン本体１２の上壁１４から弾性復元力により突出する。それ故、木質土台Ｗｄの木痩せに拘らず、弾性舌片３６は木質土台Ｗｄとの摩擦係合を維持し、パッキン本体１２が基礎コンクリートＢｃ及び木質土台Ｗｄに対して不所望に動くことはない。
【００３５】
図７及び図８は、パッキン本体１２の一部を斜視図にてそれぞれ示し、これらの斜視図から上述したパッキン本体１２の構成、即ち、換気口２２、結合爪２６ａ、ボルト遊挿口３２等の形状や配置がより明瞭になる。
なお、図７に示されているように、パッキン本体１２における上壁１４の内面には両側壁１６の近傍に多数のサイドリブ３８が一体に設けられ、これらサイドリブ３８は長手軸線Ａに沿い所定の間隔を存して配置され、側壁１６の下部に連結部を介して連結されている。それ故、サイドリブ３８は対応する側の側壁１６を補強する。
【００３６】
更に、上壁１４の内面には多数のセンタリブ４０もまた一体に形成され、これらセンタリブ４０は図２を参照すればより明らかなように、隣接するボルト遊挿口３２間にてパッキン本体１２の幅方向でみて中央に位置付けられ、その幅方向に延びている。
なお、サイドリブ３８及びセンタリブ４０が側壁１６及び端壁１８ａ，１８ｂの高さと同一の高さを有することは言うまでもない。
【００３７】
図９を参照すれば、ボルト遊挿口３２の１つに装着されたアンカーアジャスタ４２が示されており、前述したアンカーボルトＢａはアンカーアジャスタ４２を貫通して延びている。アンカーアジャスタ４２はパッキン本体１２と同様にポリプロピレンから成形され、円筒形状をなしている。
【００３８】
このようなアンカーアジャスタ４２はボルト遊挿口３２に上方から嵌合可能なサイズ大きさを有するものの、その直径は長手軸線Ａに沿うボルト遊挿口３２の長さに比べて十分に小さい。それ故、ボルト遊挿口３２の長さ方向でみてアンカーアジャスタ４２は任意の位置にてボルト遊挿口３２に装着可能である。
【００３９】
具体的には、図１０から明らかなようにアンカーアジャスタ４２は上部４４、中間部４６及び下部４８を有し、上部４４の外周面は下方に向けて縮径するテーパ面５０として形成されている。このテーパ面５０はボルト遊挿口３２の受座３４に合致するサイズを有し、それ故、アンカーアジャスタ４２はその上部４４のテーパ面５０が受座３４に支持された状態にて、ボルト遊挿口３２内に装着され、この際、アンカーアジャスタ４２の上面、即ち、上部４４の上面はパッキン本体１２の上壁１４の上面と面一となる。
【００４０】
中間部４６は上部４４よりも僅かに小径の管形状をなし、下部４８は中間部４６の下端から下方に向けて縮径するテーパ管の形状を有する。更に、下部４８の下端には切欠５２，５４が形成され、これら切欠５２，５４は下部４８の下端から中間部４６の下端まで延びている。切欠５２，５４はアンカーアジャスタ４２の径方向に互いに離間し、その周方向でみて切欠５４の幅は切欠５２の幅よりも広い。
【００４１】
図１２に示されるように上部４４の上面には２つの円形のボルト挿通孔５６，５８が形成され、ボルト挿通孔５６は切欠５２側に位置付けられ、一方、ボルト挿通孔５８は切欠５４側に位置付けられている。即ち、ボルト挿通孔５６，５８はアンカーアジャスタ４２の中心からそれぞれ偏心して位置付けられている。ボルト挿通孔５８はボルト挿通孔５６よりも大径であり、これらボルト挿通孔５６，５８の内径は一般的に使用され且つ径が異なるアンカーボルトＢａの軸径に応じてそれぞれ設定されている。
【００４２】
ボルト挿通孔５８は、例えば軸径１６ｍｍの軸太のアンカーボルトＢａに対応した内径を有し、このアンカーボルトＢａの軸部を嵌合させることができる。一方、ボルト挿通孔５６は、例えば軸径１２ｍｍの軸細のアンカーボルトＢａに対応した形状及び内径を有する。図１２から明らかなように、ボルト挿通孔５６は例えば大小の挿通孔を部分的にオーバラップさせた形状をなし、大径部５６ａ及び小径部５６ｂを有する。小径部５６ｂは軸細のアンカーボルトＢａの軸部を嵌合させる内径を有するものの、大径部５６ａは、軸細のアンカーボルトＢａにおけるねじ部の挿通を許容する内径を有する。
従って、軸細のアンカーボルトＢａにアンカーアジャスタ４２が装着される場合、アンカーボルトＢａは先ず、ボルト挿通孔５６の大径部５６ａに挿通され、この後、小径部５６ｂに嵌合される。
【００４３】
中間部４６内にて、ボルト挿通孔５６は挿通管６０に連なり、一方、ボルト挿通孔５８は挿通管６２に連なっており、これら挿通管６０，６２の内径はボルト挿通孔５６，５８の内径にそれぞれ等しい。更に、上部４４の上面には一対の食い込みスタッド６４が形成されている。これら食い込みスタッド６４は円錐形状をなし、ボルト挿通孔５６，５８間にて上部４４の径方向に互いに離間している。
なお、図１３はアンカーアジャスタ４２の一部を斜視図にて示し、この斜視図からアンカーアジャスタ４２の内部構成がより明瞭となる。
【００４４】
図９に示したように本実施形態の場合、軸太のアンカーボルトＢａはアンカーアジャスタ４２の大径のボルト挿通孔５８及び挿通管６０を貫通し、これにより、パッキン本体１２はアンカーアジャスタ４２を介してアンカーボルトＢａに結合、つまり、固定される。
ここで、図１０に示されているようにアンカーアジャスタ４２の上面はパッキン本体１２の上面と面一であるので、パッキン本体１２上に木質土台Ｗｄが載せられたとき、アンカーアジャスタ４２の一対の食い込みスタッド６４が木質土台Ｗｄの下面に食い込むことになる。それ故、木質土台Ｗｄはアンカーアジャスタ４２を介してパッキン本体１２にも結合される。
【００４５】
前述したようにアンカーアジャスタ４２はボルト遊挿口３２の長手方向（長手軸線Ａの方向）でみて、任意の位置にてボルト遊挿口３２に装着可能である一方、アンカーアジャスタ４２のボルト挿通孔５８（挿通管６２）が偏心して位置付けられていることから、ボルト遊挿口３２に対して、アンカーアジャスタ４２を回転させれば、ボルト挿通孔５８（挿通管６２）の位置をボルト遊挿口３２の幅方向（長手軸線Ａと直交する方向）に変位させことができる。
【００４６】
それ故、アンカーボルトＢａの突出位置に応じて、ボルト遊挿口３２に対するアンカーアジャスタ４２の装着位置や、その回転姿勢を調整すれば、アンカーボルトＢａをボルト挿通孔５８（挿通管６２）に挿通させた状態で、アンカーアジャスタ４２をボルト遊挿口３２に簡単に装着することができる。なお、この点に関しては、アンカーアジャスタ４２のボルト挿通孔５６（挿通管６０）に軸細のアンカーボルトが挿通される場合でも同様である。
【００４７】
更に、アンカーボルトＢａの突出位置がアンカーアジャスタ４２の偏心のみでは対処できないほどに正規の位置から大きくずれていても、この場合、パッキン本体１２を左右を反転させて基礎コンクリートＢｃ上に設置すれば、前述したようにパッキン本体１２の長手方向に並ぶボルト遊挿孔３２が千鳥状に配置されていることで、対処可能となる。
この結果、本実施形態の基礎パッキン装置１０によれば、基礎コンクリートＢｃと木質土台Ｗｄとの間への基礎パッキン装置１０の介装を容易に行うことができる。
【００４８】
本発明は上述の一実施形態に制約されるものではなく、種々の変形が可能である。
例えば、換気口２２の開口幅は３ｍｍよりも狭くてもよいし、防昆虫サイズの換気口は少なくともパッキン本体１２の外側の側壁１６に設けられていればよい。
また、アンカーアジャスタ４２はボルト挿通孔５６，５８の何れか、又は、ボルト挿通孔５６，５８に加えて更に内径が異なる別のボルト挿通孔を有することもできる等、パッキン本体１２及びアンカーアジャスタ４２の具体的な構成や材質は適宜変形可能である。
【００４９】
更に、一実施形態では、前述の弾性舌片３６は矩形をなしているが、この矩形に限らず、図１４に示されるように例えば三角形状をなしていてもよい。
一方、図１４に示されるように基礎パッキン装置１０は、一対のシールプレート７０と組み合わせても使用可能である。これらシールプレート７０は側壁１６の換気口２２を気密に閉塞するため、パッキン本体１２の内外の側壁１６に取外し可能に取付けられる。
【００５０】
詳しくは、図１５及び図１６に示されるようにシールプレート７０は長尺なプレート本体７２を含み、このプレート本体７２は側壁１６と同様な長さ及び高さ寸法を有する。プレート本体７２の内面からは複数の差し込みピン７４が突設され、これら差し込みピン７４はプレート本体７２の長手方向に間隔を存して配置されている。それ故、側壁１６の換気口２２に差し込みピン７４をそれぞれ差し込み、パッキン本体１２の側壁１６にプレート本体７２を宛がうようにしてプレート本体７２を側壁１６に簡単に取付けることができ、これにより、側壁１６の換気口２２は一括にしてプレート本体７２により覆われる。
【００５１】
更に、図１７に示されようにプレート本体７２の上縁及び下縁にはシールパッド７６がそれぞれ取付けられている。これらシールパッド７６はプレート本体７２の長手方向に延び、側壁１６にプレート本体７２が取付けられたとき、側壁１６にそれぞれ密着し、換気口２２の閉塞性、つまり、シール性を向上させる。
上述の一対のシールプレート７０と組み合わされた基礎パッキン装置１０は、浴室を区画する基礎コンクリートＢｃ上に設置され、浴室の湿気が外部に漏れるのを防止するとともに、外部から浴室の床下に冷気が侵入する機能を発揮する。
【００５２】
一方、図１８に示されるように本発明の基礎パッキン装置１０は、施工補助具７８を含むことができ、この施工補助具７８はパッキン本体１２の敷設のみならず、基礎コンクリートＢｃのモルタル仕上げを容易にするうえで有用である。
詳しくは、施工補助具７８はプレート本体８０を含む。このプレート本体８０はパッキン本体１２の側壁１６と同様な長さを有するものの、その高さは側壁１６に比べて低い。
【００５３】
プレート本体８０の下面には、アウタリブ８２及びインナリブ８４が突設され、これらアウタリブ８２及びインナリブ８４はプレート本体８０の全長に亘り、互い協働してプレート本体８０の長手方向に平行に延びる溝８５を形成する。
図１８から明らかなようにアウタリブ８２はプレート本体８０の一側縁に位置付けられ、一方、インナリブ８４はプレート本体８０の幅方向でみてプレート本体８０の中央部に位置付けられている。
【００５４】
更に、プレート本体８０の上面には複数の差し込み片８６が立設され、これら差し込み片８６はプレート本体８０と一体に形成されている。図１９及び図２０から明らかなように、差し込み片８６はプレート本体８０の長手方向に間隔を存して配置され、プレート本体８０からプレート本体８０の他側縁を越えてプレート本体８０の長手方向と直交する方向に延びている。
【００５５】
プレート本体８０から突出する差し込み片８６の先端部８６ａはプレート本体８０の下面と面一の下縁を有するとともに、パッキン本体１２の換気口２２に差し込み可能な高さ及び幅を有する。これに対し、差し込み片８６の基端部８６ｂは先端部８６ａと同一の幅を有するものの、基端部８６ｂにおけるプレート本体８０の下面からの高さがパッキン本体１２の厚みよりも高い。それ故、差し込み片８６は先端部８６ａのみにて換気口２２に差し込み可能である。
【００５６】
上述した施工補助具７８は以下のようにして使用される。
先ず、図１８に示されるように施工補助具７８は、プレート本体８０の他側縁部を基礎コンクリートＢｃの上面に載せ、インナリブ８４を基礎コンクリートＢｃの外側面に押し当てた状態で配置される。つまり、施工補助具７８は基礎コンクリートＢｃにおける上面の外側の角部に宛がうようにして配置される。
【００５７】
この状態で、基礎コンクリートＢｃの上面にパッキン本体１２が配置され、このパッキン本体１２は、差し込み片８６の先端部８６ａを挿通口２２内に完全に受け入れるまで差し込み片８６の基端部８６ｂに向けて押される。この場合、図１８に示されるようにインナリブ８４とパッキン本体１２との間、つまり、基礎コンクリートＢｃの外側面とパッキン本体１２との間には、施工補助具７８によって決定される間隔Ｄが一義的に確保される。
それ故、上述した施工補助具７８を使用すれば、基礎コンクリートＢｃの上面に前記間隔Ｄを確保しつつ多数のパッキン本体１２の縦列敷設を容易且つ簡単に行うことができる。
【００５８】
一方、基礎コンクリートＢｃの外側面にはこの後、図１８中、２点鎖線で示されるようにモルタル仕上げＭが施工されるが、この際、基礎コンクリートＢｃに施工補助具７８が設置されていれば、モルタル仕上げＭのモルタルが基礎コンクリートＢｃの上面まで誤って塗られることはなく、モルタルがパッキン本体１２の換気口２２を塞ぐようなこともない。
また、モルタル仕上げＭのモルタルはプレート本体８０の下面に形成された溝８５内にも充填されることから、モルタル仕上げＭが基礎コンクリートＢｃから剥がれ難くなる。
図１８〜図２０に示された施工補助具７８はプレート本体８０と差し込み片８６とが一体成形されているが、これらプレート本体８０と差し込み片８６とは図２１に湿されるように別体であってよい。
【００５９】
この場合、差し込み片８６における基端部の８６ｂの下縁には差し込み片８６の幅方向両側に突出する翼８８がそれぞれ形成され、また、フック９０が形成されている。一方、プレート本体８０の上面にはプレート本体８０の長手方向に延びる凸条９２が一体に形成され、この凸条９２はフック９０が噛み合い可能なレール溝９４が形成されている。それ故、差し込み片８６はプレート本体８０の長手方向でみて任意の位置にて、プレート本体８０に取付け可能である。
【００６０】
上述したように互いに別体のプレート本体８０と差し込み片８６とからなる施工補助具７８の場合、この施工補助具７８は、基礎コンクリートＢｃにおける上面の外側の角部に差し込み片８６の下縁及びフック９０の背面をそれぞれ宛がうようにして配置され、前述の一体型の施工補助具と同様に機能を発揮する。
この場合、前述の間隔Ｄが異なる差し込み片８６を予め準備しておけば、要求される間隔Ｄが異なっても、その間隔Ｄに対応した差し込み片８６とプレート本体８０とを組み合わせるだけで、容易に対処可能となる。
最後に、本発明の基礎パッキン装置は木質土台に限らず、金属製の土台と基礎コンクリートの組み合わせにも同様に適用可能である。
【符号の説明】
【００６１】
１２            パッキン本体
１４            上壁
１６            側壁
１８ａ，１８ｂ  端壁
２２            換気口
３２            ボルト遊挿口
３６            弾性舌片
４２            アンカーアジャスタ
５６，５８      ボルト挿通孔
Ａ              長手軸線
Ｂａ            アンカーボルト
Ｂｃ            基礎コンクリート
Ｗｄ            木質土台
【図１】
2014196609.tif 000003
【図２】
2014196609.tif 000004
【図３】
2014196609.tif 000005
【図４】
2014196609.tif 000006
【図５】
2014196609.tif 000007
【図６】
2014196609.tif 000008
【図７】
2014196609.tif 000009
【図８】
2014196609.tif 000010
【図９】
2014196609.tif 000011
【図１０】
2014196609.tif 000012
【図１１】
2014196609.tif 000013
【図１２】
2014196609.tif 000014
【図１３】
2014196609.tif 000015
【図１４】
2014196609.tif 000016
【図１５】
2014196609.tif 000017
【図１６】
2014196609.tif 000018
【図１７】
2014196609.tif 000019
【図１８】
2014196609.tif 000020
【図１９】
2014196609.tif 000021
【図２０】
2014196609.tif 000022
【図２１】
2014196609.tif 000023